(57)【特許請求の範囲】
【請求項１】
流体誘導接続を形成するための取付部品であって、
壁（３）と該壁（３）に配置された開口部（９）とを有するプラスチックの容器（１）と、
中空要素（５）の第１端部（７）と第２端部（２３）の間で中空要素（５）の長手方向の軸に沿って延在し、ジャケット（２１）を持つ円筒形中空要素（５）であり、前記中空要素（５）は前記容器（１）の壁（３）のプラスチックに埋め込まれ、前記第１端部（７）は開放して前記開口部（９）に隣接しており、前記ジャケット（２１）の少なくとも一部分の領域が、壁（３）のプラスチックによって囲われる、円筒形中空要素（５）と、
前記第２端部（２３）よりも前記第１端部（７）に近接しており前記開口部（９）の縁に隣接した前記壁（３）のプラスチック内に埋め込まれ、前記ジャケット（２１）に沿って延在するプラスチックによって囲われるジャケット（２１）から延在するフランジ（１９）と、
前記第１端部（７）に近接して環状密閉要素（４１）を収容する環状溝を有する、前記中空要素（５）の内面と、
閉鎖要素（１３）から前記中空要素（５）の内部へ延在する環状表面（４３）を有し、前記環状密閉要素（４１）とともにシールを形成し、前記開口部（９）に装着され、前記中空要素（５）の内面の雌ネジと係合する雄ネジを持つ環状部を有するキャップである閉鎖要素（１３）であり、前記キャップは前記中空要素（５）の縁とオーバーラップし直径方向に延在する円周縁を有し、該円周縁は、前記開口部（９）を囲む前記壁（３）とともにシールを形成する１つの密閉要素（４９）を有して前記中空要素（５）の前記縁を越えて直径方向に延在する部分を有する、閉鎖要素（１３）と、
を備え、
前記容器（１）は作動液を受容するためのタンクであり、
前記中空要素（５）は、前記第１端部（７）および前記第２端部（２３）から離れて、前記ジャケット（２１）から前記長手方向の軸に対して横方向に延伸する接続分岐部（２５）を有し、
該接続分岐部（２５）は、前記中空要素（５）のジャケット（２１）から前記容器（１）の外部へ延伸し前記壁（３）を貫通した流体通路を形成する、取付部品。
【請求項２】
前記中空要素（５）が、前記接続分岐部（２５）と一体化するように形成され、金属材料から成る、請求項１に記載の取付部品。
【請求項３】
前記接続分岐部（２５）の端部（２７）は、前記容器（１）の壁（３）を貫通し、前記容器（１）の外面を越えて外側に突出るように形成され、前記接続分岐部（２５）の突出ている部分が、少なくとも部分的にプラスチックによって囲われるように、前記容器（１）の壁（３）のプラスチックに埋め込まれる、請求項１に記載の取付部品。
【請求項４】
前記接続分岐部（２５）の突出ている部分が、前記ジャケット（２１）から前記接続分岐部（２５）の端部へ延伸し、連続したプラスチック構造体を形成するプラスチックにより完全に囲われた外部領域を有し、前記連続したプラスチック構造体は、前記ジャケット（２１）を囲っている前記壁の前記プラスチックから前記接続分岐部（２５）に沿って前記容器（１）の壁（３）まで、及び前記接続分岐部（２５）に沿って前記容器（１）の外面を越えて延在する、請求項３に記載の取付部品。
【請求項５】
前記環状密閉要素（４１）は環状表面（４３）を含む、請求項１に記載の取付部品。
【請求項６】
前記中空要素（５）の前記第２端部（２３）は、タンク頂部のフィルタ（３７）を設置するための座を有する、請求項１に記載の取付部品。
【発明の詳細な説明】
【技術分野】
【０００１】
本発明は、プラスチックの容器の、詳細には流体、特に作動液を受容するためのタンクの壁の開口部に、流体誘導接続を形成するための取付部品に関する。
【背景技術】
【０００２】
プラスチックタンクは、作動液を収納するために液圧装置で広く使用されている。比較的単純な形状、軽量、及び耐腐食性の可能性によって、プラスチックタンクは、掘削機、ホイールローダ等々のような機械の、特に液圧装置で広範囲に使用される。
【０００３】
このようなタンクは、周知の回転成形又はブロー成形工程によって一般的に生産され、例えば、ポリエチレン又はポリアミドのプラスチックが、作動液用のタンクのようなより大きな容器に使用されている。
【０００４】
しかしながら、耐腐食性、軽量、及び成形の容易さの利点は、プラスチックタンクの場合に、容器又はタンクのプラスチックの壁の開口部における流体誘導接続の制作が、避けられない困難さを引起す欠点によって相殺される。プラスチック材料の物理的な特性によって、密閉する力と温度効果の結果として、開口部の領域で変形が生じうる危険性があり、高価な密閉要素を使用したとしても、変形はプラスチックタンクと付属要素との間に漏洩をもたらす。
【０００５】
【非特許文献１】Schaal、Stoeckhert著「プラスチック機械の操作者（A Kunststoff Maschinenfuhrer @ [Plastic Machine Operator]）」、ｐ．５６１-５６４
【発明の開示】
【発明が解決しようとする課題】
【０００６】
この技術状態に基づいて、本発明の目的は、プラスチック容器の開口部に、操作上信頼性のある長期間にわたって漏洩のない接続を可能にする取付部品を利用可能にすることである。
【課題を解決するための手段】
【０００７】
完全に請求項１に明記された特徴を所有する取付部品によって、この目的が達成されることが、本発明によって主張される。
【０００８】
容器の壁のプラスチックに埋め込まれる中空要素の形状の接続部分を備える本発明で主張する取付部品は、強化要素を利用可能にし、強化要素は、タンクのプラスチック材料が、その材料が容器の開口部の中空要素の開口端部で中空要素を囲うばかりでなく、中空要素のジャケットの領域の少なくとも一部分に広がって埋め込む大きな領域によって、継手及び／又は密閉要素のような付加要素を装着するために本質的に強固な基盤を形成する。中空材料は、好ましくは金属の中空材料は、結合する液圧装置に一体化される継手又は付加要素のいずれの場合も、操作上信頼性高く連結可能であるばかりでなく、開口部の領域に配置されるプラスチックの容器又はタンクの領域の強化にも寄与する。
【０００９】
有利な例示の実施形態において、流体誘導接続を形成するための中空要素は、中空要素の端部から一定の距離を開けて、ジャケットから突出し長手方向の軸に対して横方向に延在する接続分岐部を有し、この接続分岐部は、中空要素のジャケットに流体通路を形成し、容器の壁を貫通し、外部に延伸する。
【００１０】
好ましくは、接続分岐部と一体化するように形成される中空要素が金属材料から作られると、大きな領域に亘って埋め込まれた中空要素は、固定する力、密閉する力、及び動的（振動）及び熱的効果のような中空要素に掛かる荷重がそれ自体によって、構造的に中空要素の変形を引起すことができないし、又、これらの荷重が、容器の中空要素の埋め込まれている全領域に亘って導かれる故に、容器のプラスチック材料に直接影響を与えることができないから、容器の壁のプラスチック材料を変形から信頼性高く保護する。
【００１１】
有利な例示の実施形態において、容器の壁を貫通する接続分岐部の端部は、容器の壁の外面を越えて延伸するように形成され、接続分岐部は、接続分岐部の突出る部分が、少なくとも部分的にプラスチックで囲われるような方法で、容器の壁のプラスチックに埋め込まれる。このように達成される全領域に亘る中空要素と接続分岐部の埋め込みは、特に高い構造強度を保証する。
【００１２】
好適な例示の実施形態において、中空要素は、円筒として形成され、容器の開口部と関連する端部から少し離れて、中空要素のジャケットに沿って延伸する材料の部分によって完全に外部から囲われるように、開口部の縁部でプラスチックに埋め込まれるフランジを有する。特に、中空要素の長手方向の軸に沿って作用する軸方向力に対する中空要素の良好な固定は、それによって達成される。
【００１３】
容器の開口部が、キャップ形状の密閉要素によって厳封することが出来る、例示の実施形態において、例えば、中空要素の端部が容器の開口部の縁部を越えて外側に突出るような方法で、及び閉鎖要素による密閉接続のための密閉配置が、突出ている端部に備えられるように中空要素を埋め込んでもよい。
【００１４】
代替として、中空要素が、容器の開口部と関連する中空要素の開口部の近傍の内部に、密閉を実施するための環状表面と共に機能する環状密閉要素の座として環状溝を有してもよく、この環状表面は、開口部に装着される閉鎖要素から中空要素の内部に延在する。
【００１５】
キャップの形状の閉鎖要素の場合に、キャップは、さらに開口部を囲む壁と共に密閉を実施するために、中空要素の縁部を越えて半径方向に突出る密閉配置を備える要素を有してもよい。
【００１６】
容器の開口部から離れて面する中空要素の端部に、中空要素がタンク頂部のフィルタを装着するための座を有してもよく、それは、例えば中空要素を交換するために、想定される閉鎖要素を介し、容器の開口部を介してアクセス出来る。
【発明を実施するための最良の形態】
【００１７】
本発明は、図面で示される例示の実施形態によって、以下により詳細に述べられるだろう。
【００１８】
図１は、周知の回転成形工程（非特許文献１を参照）によって、より大きな容器に適切なプラスチック材料から製作されるプラスチックのタンク１の形状の容器の上部領域を示す。回転成形工程において、円筒形状の中空要素５は、中空要素５の図面の中で７として示される上端部が、タンク１の壁３の開口部９の内部に隣接するように、プラスチック壁３に成形される。図１に示される例示において、中空要素５の端部７は、壁３の外面を少し越えて突出し、突出ている端部に、ねじキャップ１３の形状の閉鎖要素と共に、中空要素５のそれぞれの端部７で厳封を可能にし、結果として容器の壁３の開口部９の密閉を可能にする密閉リング１１を備える。
【００１９】
キャップ１３は、中空要素５の内面のめねじ山１７によって捩じ込むことが出来る、環状要素１５の形状のねじ山が切られた構成要素を有する。
【００２０】
示された例示の実施形態において、中空要素５は、圧入成形によって一体化され、端部７の外側近傍に円周フランジ１９を有する。上端部７と下端部２３との間のジャケット２１のほぼ中央領域に、ジャケット２１から、このジャケット２１と一体化した接続分岐部２５が、中空要素５の長手方向に又は円筒の軸に直角に延伸し、分岐部２５の壁厚はジャケット２１から自由端部２７までに少し減少していて、これは、圧入成形による中空要素５の製造において加工中の素材の成形に有利に働くことに関係する。下端部２３において、中空要素５のジャケット２１は、半径方向で少し内側に突出る端部の縁２９を有し、それが、円筒形状の中空要素５の内部３１のそれぞれの開口部の直径を少し減少し、環状の肩部３３を形成し、環状の肩部は、密閉リング３５を介して環状の肩部に載っている市販のタンク頂部のフィルタ３７のための座を形成する。フィルタ３７の上側とキャップ１３との間に装着される圧力バネ３９は、バネの伸長力によって座にフィルタを保持する。
【００２１】
図面で明白に分かるように、中空要素５が、中空要素５の上端部７で及びフランジ１９の全外面に亘ってプラスチックに囲まれるように、及びプラスチックが、中空要素５のジャケット２１に沿って下端部２３まで延伸し、そこでさらにジャケット２１の下端部の縁２９を越えて延伸するように、容器の壁３のプラスチックに埋め込まれる。加えて、接続分岐部２５が、ジャケット２１と容器の壁３の内部との間の部分に亘って完全にプラスチックに囲まれるばかりでなく、壁３のプラスチックがまた、タンク１の外面の接続分岐部２５も囲む。すでに述べられたように、中空要素５は、接続分岐部２５の端部で流体接続のような付属要素のための接続部分を形成し、この接続部分は強化要素として機能し、強化要素は、容器の壁３のプラスチック材料で囲まれる大きな領域のために、容器の壁３に作用する力をタンク１のプラスチックへの低い特定の表面圧力として導いて、タンクの変形を防止する。
【００２２】
図２に示される例示の実施形態は、キャップ１３と中空要素５の上端部７との間の密閉配置が形状において異なっていることだけが、図１に示されたものと異なる。図２に示された例示において、中空要素５の上端部７は、タンク１のプラスチック壁３の外面とほぼ端部が揃っている。中空要素５とキャップ１３との間の軸方向の密閉として備えられた図１の例示で示した密閉配置１１に代わって、図２に示された例示において、中空要素５の内面の端部７の近傍に環状溝があり、その溝に半径方向の密閉部４１が設置される。この密閉部４１は、キャップ１３の環状要素１５に配置される環状表面４３と共に機能する。中空要素５の内部３１に延伸するこの環状要素１５は、密閉部４１と共に機能する環状要素のねじ山が切られていない環状表面４３に続いて、おねじ山４７を備える部分を有し、その部分を中空要素５のめねじ山１７に捩じ込むことが出来る。
【００２３】
半径方向の密閉部４１に加えて、密閉接続が、キャップ１３の壁３に面する円周の縁部５１の表面の環状溝に設置される軸方向の密閉部４９によって、キャップ１３と容器１との間に備えられる。この円周の縁部５１は、中空要素５の上端部７上で半径方向に、第一例示の実施形態の円周の縁部１４が突出るより大きな距離を突出る。図２で示される例示における軸方向の密閉部４９は、結果としてタンク１の壁３の外面と共に直接に機能する。
【００２４】
図に示され上述された例示において、容器の壁の開口部９と結合する中空要素５の端部７に、キャップ１３の形状の閉鎖要素がある。容器１の壁３の開口部９は、タンク頂部のフィルタ３７のためのアクセス開口部としてこれらの例示の中で役割をなし、一方中空要素５の内部３１に接続された接続分岐部２５は、流体誘導接続を形成するために備えられる。キャップ１３とは異なる種類の継手又は付加要素を、中空要素５の形状で接続部分に備えることが出来ることが理解されるだろう。例えば、タンク頂部のフィルタの継手先端部を、キャップ１３の代わりに中空要素５の結合する端部７に固定することが出来るだろう。どの場合にも、タンク１の壁３のプラスチック材料の中に大きな領域に亘って埋め込まれる中空要素５の形をとる接続部分の存在に基づく該当の利点は、このような例示の実施形態によってもまた得られる。
【図面の簡単な説明】
【００２５】
【図１】作動液を受容するために備えられ、本発明の例示の実施形態を表し、さらにタンク頂部のフィルタの容器を形成する取付部品を備える、プラスチックのタンク形状の容器の上部分の領域のほぼ垂直断面を示す。
【図２】図１の実施形態に対応する、第二例示の実施形態の垂直断面を示す。
【図１】
0005270169.tif 000002
【図２】
0005270169.tif 000003